(57)【要約】【課題】  機能を制限することができる携帯端末装置において、利用者以外の人間により利用状況を確認することが可能な携帯端末装置を提供する。【解決手段】  携帯電話機１００は、ネットワークを介して通信を行う通信部１と、携帯電話機１００の利用履歴情報と携帯電話機１００の利用上の制限事項を示す制限事項情報とを記憶する記憶部５と、全体を制御する制御部６とを備え、制御部６は、通信部１による通信相手との回線接続後、通信相手による利用履歴情報の返信の要求が行われているか否かを判定する。制御部６は、前記要求が行われていると判定した場合、通信部１に対し、利用履歴情報を通信相手に送信させ、前記要求が行われていないと判定した場合、通信相手との通信が可能か否かを制限事項情報を利用して判定する。制御部６は、この判定結果に応じて、携帯電話機１００と通信相手とを接続する回線の切断制御を行う。【選択図】  図１
2005123670.tif 000002
【特許請求の範囲】
【請求項１】
ネットワークを介して通信を行う通信手段を有する携帯端末装置であって、
前記携帯端末装置の利用履歴情報を記憶する利用履歴情報記憶手段と、
前記携帯端末装置の利用上の制限事項を示す制限事項情報を記憶する制限事項情報記憶手段と、
前記通信手段による通信相手との回線接続後、前記通信相手による前記利用履歴情報の返信の要求が行われているか否かを判定する要求判定手段と、
前記要求判定手段により前記要求が行われていると判定された場合、前記通信手段に対し、前記利用履歴情報を前記通信相手に送信させる利用履歴情報送信制御手段と、
前記要求判定手段により前記要求が行われていないと判定された場合、前記通信相手との通信が可能か否かを前記制限事項情報を利用して判定する通信判定手段と、
前記通信判定手段の判定結果に応じて、前記携帯端末装置と前記通信相手とを接続する回線の切断制御を行う切断制御手段とを備える携帯端末装置。
【請求項２】
請求項１記載の携帯端末装置であって、
現在時刻及び前記携帯端末装置の位置の情報を取得する情報取得手段を備え、
前記制限事項情報は、前記通信相手との通信が可能な期間及び場所を指定する情報を含み、
前記通信判定手段は、前記情報取得手段により取得された情報と前記制限事項情報とを利用して、前記判定を行うものである携帯端末装置。
【請求項３】
請求項１又は２記載の携帯端末装置であって、
前記通信手段による前記通信相手との通信開始時に被写体を撮影する撮影手段と、
前記通信手段に対し、前記撮影手段で撮影して得られた画像データを前記携帯端末装置に予め登録されている画像送信先に送信させる画像データ送信制御手段とを備える携帯端末装置。
【請求項４】
請求項１〜３のいずれか記載の携帯端末装置であって、
前記通信手段に対し、前記利用履歴情報を前記携帯端末装置に予め登録されている送信先に定期的に送信させる利用履歴情報定期送信制御手段を備える携帯端末装置。
【請求項５】
請求項１〜４のいずれか記載の携帯端末装置であって、
前記制限事項情報を変更するために必要なパスワードを記憶するパスワード記憶手段と、
前記パスワードが入力された場合にのみ、前記制限事項情報を変更可能とする変更制御手段とを備える携帯端末装置。
【発明の詳細な説明】
【技術分野】
【０００１】
本発明は、ネットワークを介して通信を行う通信手段を有する携帯端末装置に関する。
【背景技術】
【０００２】
従来、通信量を抑制する機能を備えた携帯端末装置が開発されている（例えば、特許文献１参照）。又、子供向けに操作を簡単にし、機能を制限する方法も提案されている（例えば、特許文献２参照）。
【０００３】
【特許文献１】特開２００１−３６６７０号公報
【０００４】
【特許文献２】特表２００２−５３９６５１号公報
【発明の開示】
【発明が解決しようとする課題】
【０００５】
上記従来の携帯端末装置によれば、通信量を抑制したり、機能を制限したりすることは可能であるが、携帯端末装置の利用状況を、携帯端末装置の利用者以外の人間が確認することはできなかった。
【０００６】
本発明は、上記事情に鑑みて為されたものであり、機能を制限することができる携帯端末装置において、利用者以外の人間により利用状況を確認することが可能な携帯端末装置を提供することを目的とする。
【課題を解決するための手段】
【０００７】
本発明の携帯端末装置は、ネットワークを介して通信を行う通信手段を有する携帯端末装置であって、前記携帯端末装置の利用履歴情報を記憶する利用履歴情報記憶手段と、前記携帯端末装置の利用上の制限事項を示す制限事項情報を記憶する制限事項情報記憶手段と、前記通信手段による通信相手との回線接続後、前記通信相手による前記利用履歴情報の返信の要求が行われているか否かを判定する要求判定手段と、前記要求判定手段により前記要求が行われていると判定された場合、前記通信手段に対し、前記利用履歴情報を前記通信相手に送信させる利用履歴情報送信制御手段と、前記要求判定手段により前記要求が行われていないと判定された場合、前記通信相手との通信が可能か否かを前記制限事項情報を利用して判定する通信判定手段と、前記通信判定手段の判定結果に応じて、前記携帯端末装置と前記通信相手とを接続する回線の切断制御を行う切断制御手段とを備える。
【０００８】
この構成により、例えば、携帯端末装置の利用者の親が、我が子の持つ携帯端末装置の利用履歴を確認することが可能となる。このため、我が子が過剰に通信を行っている場合等でも、そのことを把握することができ、注意を促すことができる。又、制限事項情報を利用して、通信相手との通信が可能でないと判定した場合に、回線を切断することができるため、例えば、通信手段による通信が可能な期間や場所に制限をかけておくことで、携帯端末装置の利用者が、通信してはいけないような場所や期間において、通信を行ってしまうことを防ぐことができる。
【０００９】
又、本発明の携帯端末装置は、現在時刻及び前記携帯端末装置の位置の情報を取得する情報取得手段を備え、前記制限事項情報は、前記通信相手との通信が可能な期間及び場所を指定する情報を含み、前記通信判定手段は、前記情報取得手段により取得された情報と前記制限事項情報とを利用して、前記判定を行うものである。
【００１０】
この構成により、現在時刻及び携帯端末装置の位置の情報を取得し、取得した情報と制限事項情報とを利用して通信可能か否かを判定するため、上記判定の信頼性を向上させることができる。
【００１１】
又、本発明の携帯端末装置は、前記通信手段による前記通信相手との通信開始時に被写体を撮影する撮影手段と、前記通信手段に対し、前記撮影手段で撮影して得られた画像データを前記携帯端末装置に予め登録されている画像送信先に送信させる画像データ送信制御手段とを備える。
【００１２】
この構成により、通信手段による通信開始時に、携帯端末装置の利用者を撮影し、その撮影により得られた画像データを、その利用者の親等に送信することができる。このため、利用者の親は、送信されてきた画像データに基づく画像により、我が子の無事を確認することができる。
【００１３】
又、本発明の携帯端末装置は、前記通信手段に対し、前記利用履歴情報を前記携帯端末装置に予め登録されている送信先に定期的に送信させる利用履歴情報定期送信制御手段を備える。
【００１４】
この構成により、利用履歴情報を、例えば、利用者の親の持つ携帯端末装置に定期的に送信するため、利用者の親は、我が子の持つ携帯端末装置の利用履歴を定期的に確認することができる。
【００１５】
又、本発明の携帯端末装置は、前記制限事項情報を変更するために必要なパスワードを記憶するパスワード記憶手段と、前記パスワードが入力された場合にのみ、前記制限事項情報を変更可能とする変更制御手段とを備える。
【００１６】
この構成により、パスワードを知っている者のみが制限事項情報を変更することができるため、例えば、利用者の親がパスワードを知っておくことで、利用者により制限事項情報が変更されてしまうといったことが無くなる。したがって、利用者の親は、我が子の利用する携帯端末装置の利用を確実にコントロールすることができる。
【発明の効果】
【００１７】
本発明によれば、機能を制限することができる携帯端末装置において、利用者以外の人間により利用状況を確認することが可能な携帯端末装置を提供することができる。
【発明を実施するための最良の形態】
【００１８】
以下、本発明の実施形態を説明するための携帯端末装置の一例である携帯電話機やＰＨＳ（Ｐｅｒｓｏｎａｌ  Ｈａｎｄｙｐｈｏｎｅ  Ｓｙｓｔｅｍ）等について、図面を用いて説明する。
図１は、本発明の実施形態を説明するための携帯電話機の概略構成を示す図である。
携帯電話機１００は、通信部１と、入力部２と、表示部３と、撮影部４と、記憶部５と、制御部６とを備える。
通信部１は、図示しないアンテナを介して、携帯電話網やインターネット等のネットワークに接続可能であり、接続先の携帯電話機等と通信を行う。
【００１９】
入力部２は、数字や文字情報等を入力するためのテンキーやボタン等であり、このテンキーやボタン等の操作に応じた信号を制御部６に入力する。
【００２０】
表示部３は、通信部１による通信状況や電話番号等の携帯電話機１００に必要な各種情報を表示する。
【００２１】
撮影部４は、ＣＣＤ等の固体撮像素子により被写体を撮影するものであり、撮影により得られる画像データを制御部６に入力する。
【００２２】
記憶部５は、携帯電話機１００の利用履歴情報（所定期間の通話履歴、所定期間のデータ通信履歴、所定期間の累計通話料、及び所定期間の累計データ通信料等の情報）を記憶する利用履歴情報記憶部５１と、携帯電話機１００の利用上の制限事項を示す制限事項情報（通話可能な相手、通話可能な所定期間の累計通話時間の上限、通話可能な場所、及び通話可能な期間等を指定した情報）を記憶する制限事項情報記憶部５２と、制限事項情報記憶部５２の記憶内容を変更するために必要なパスワードを記憶するパスワード記憶部５３と、電話帳データを記憶する電話帳データ記憶部５４と、撮影部４の撮影により得られた画像データを記憶する画像データ記憶部５５と、画像データ記憶部５５に記憶される画像データの送信先の電子メールアドレス等を記憶する画像データ送信先記憶部５６と、利用履歴情報を定期的に送信する送信先の電子メールアドレス等を記憶する利用履歴定期送信先記憶部５７とを備える。制限事項情報記憶部５２、パスワード記憶部５３、電話帳データ記憶部５４、画像データ送信先記憶部５６、及び利用履歴定期送信先記憶部５７の内容は任意に変更可能である。
【００２３】
制御部６は、所定のプログラムによって動作するプロセッサを主体に構成され、携帯電話機１００全体を統括制御する。
【００２４】
制御部６は、通信部１による通信相手との回線接続後、携帯電話機１００の利用履歴情報の返信の要求が通信相手から行われているか否かを判定する。
【００２５】
制御部６は、上記要求が行われていると判定した場合、通信部１を制御して、利用履歴情報を通信相手に送信させる。制御部６は、電話帳データ記憶部５４に通信相手の電子メールアドレスが記憶されている場合には、電子メールで利用履歴情報を送信させる。制御部６は、電話帳データ記憶部５４に通信相手の電子メールアドレスが記憶されていない場合には、利用履歴情報を音声データに変換してから、通信相手に送信させる。
【００２６】
制御部６は、上記要求が行われていないと判定した場合、現在時刻及び携帯電話機１００の位置の情報を取得し、取得した情報と制限事項情報記憶部５２に記憶されている制限事項情報とを利用して、通信部１による通信相手との通信が可能か否かを判定し、判定結果に応じて、携帯電話機１００と通信相手とを接続する回線の切断制御を行う。
【００２７】
制御部６は、携帯電話機１００に内蔵する時計から上記現在時刻の情報を取得する。携帯電話機１００の位置の情報は、ネットワークに接続された携帯電話機１００の位置を管理するサーバから通信部１を介して取得しても良いし、携帯電話機１００がＧＰＳ受信機を持つ場合には、このＧＰＳ受信機から取得しても良い。
【００２８】
制御部６は、通信部１による通信相手との通信開始時に、撮影部４を制御して携帯電話機１００の利用者を撮影させ、この撮影により得られた画像データを電子メールに添付し、画像データ送信先記憶部５６に記憶されている送信先の電子メールアドレス宛てに送信させる。通信開始時とは、利用者により電話番号が入力されて発信操作（例えば、通話ボタンの押下操作）が行われてから、情報チャネルによる通信相手との通信が開始されるまでの間のことを指す。
【００２９】
制御部６は、通信部１を制御し、利用履歴定期送信先記憶部５７に記憶されている送信先の電子メールアドレス宛てに、利用履歴情報記憶部５１に記憶されている利用履歴情報を電子メールにて定期的に送信させる。この電子メールの送信間隔を示す情報は、記憶部５に記憶されており、この情報は、任意に設定可能である。
【００３０】
制御部６は、パスワード記憶部５３に記憶されているパスワードが入力部２から入力された場合にのみ、制限事項情報記憶部５２の内容を変更可能にする。
【００３１】
以下、携帯電話機１００の動作を説明する。
図２は、携帯電話機１００の利用者の親が制限事項情報記憶部５２に制限事項情報を登録する際の動作フローを示す図である。
親により、表示部３に表示されたメニューから制限事項登録メニューが選択されると、携帯電話機１００は、制限事項情報が制限事項情報記憶部５２に既に登録されているか否かを判定する。登録されていなかった場合（Ｓ２０１：ＮＯ）、携帯電話機１００は制限事項情報とパスワードの入力を要求する。この要求に応じて、親により制限事項情報が入力され、パスワードが入力されると（Ｓ２０８）、携帯電話機１００は、入力された制限事項情報を制限事項情報記憶部５２に登録すると共に、入力されたパスワードをパスワード記憶部５３に登録する（Ｓ２０９）。
【００３２】
一方、制限事項情報が既に登録されていた場合（Ｓ２０１：ＹＥＳ）、携帯電話機１００はパスワードの入力を要求する。この要求に応じて、親によりパスワードが入力されると（Ｓ２０２）、携帯電話機１００は、入力されたパスワードとパスワード記憶部５３に記憶されているパスワードとが一致するかを否かを判定する。
【００３３】
パスワードが一致した場合（Ｓ２０３：ＹＥＳ）、携帯電話機１００は、制限事項情報記憶部５２の内容を変更可能な状態にする（Ｓ２０４）。その後、携帯電話機１００は、制限事項情報及び新しいパスワードの少なくとも一方の入力を要求する。この要求に応じて、親により制限事項情報及び新しいパスワードの少なくとも一方が入力されると（Ｓ２０５）、携帯電話機１００は、入力された制限事項情報を制限事項情報記憶部５２に登録して内容を更新すると共に、入力された新しいパスワードをパスワード記憶部５３に登録して内容を更新する（Ｓ２０６）。これにより、親は、制限事項情報記憶部５２及びパスワード記憶部５３の内容を更新することができる。
パスワードが一致しない場合（Ｓ２０３：ＮＯ）、携帯電話機１００は、エラー表示等を行い、制限事項情報記憶部５２及びパスワード記憶部５３の内容を変更不可能な状態にする（Ｓ２０７）。
【００３４】
図３は、図２の流れで制限事項情報を登録した後に、親の携帯電話機から着信があった場合の携帯電話機１００の動作フローを示す図である。
携帯電話機１００は、通信相手である親の携帯電話機から制御チャネルによる着信があると（Ｓ３０１）、通信相手の電話番号が電話帳データ記憶部５４に記憶されている電話番号のいずれかに一致するか否かを判定する。一致する電話番号がなかった場合（Ｓ３０２：ＮＯ）、携帯電話機１００は、通信相手との回線接続を行わず、動作を終了する。
【００３５】
一致する電話番号があった場合（Ｓ３０２：ＹＥＳ）、携帯電話機１００では、通信相手との回線接続を開始するように、制御部６が通信部１を制御し、携帯電話機１００と通信相手との回線接続が行われる（Ｓ３０３）。回線接続後、携帯電話機１００は、利用履歴情報の返信の要求が通信相手から行われているか否かを判定する。この判定は、例えば、利用履歴情報のうちのどの項目の返信を要求するかを指定する要求情報が、Ｓ３０１で着信した信号に含まれているか否かにより行う。
【００３６】
Ｓ３０１で着信した信号に要求情報が含まれており、利用履歴情報の返信の要求が通信相手から行われていると判定した場合（Ｓ３０４：ＹＥＳ）、携帯電話機１００は、要求情報で指定される項目の利用履歴情報を利用履歴情報記憶部５１から抽出し（Ｓ３０５）、抽出した利用履歴情報を通信相手に対して送信し（Ｓ３０６）、送信後、携帯電話機１００と通信相手とを接続する回線を切断し（Ｓ３０７）、処理を終了する。
【００３７】
Ｓ３０１で着信した信号に要求情報が含まれておらず、利用履歴情報の返信の要求が通信相手から行われていないと判定した場合（Ｓ３０４：ＮＯ）、携帯電話機１００は、現在時刻及び現在位置の情報を取得する（Ｓ３０８）。携帯電話機１００は、制限事項情報記憶部５２に記憶されている制限事項情報と、Ｓ３０８で取得した現在時刻及び現在位置の情報とを利用して、通信相手が通話可能な相手であるか、現在の累計通話料金が通話可能な上限内であるか、現在時刻が通話可能な時間帯であるか、現在位置が通話可能な場所であるかの４つの条件が満たされているかを調べ、通信相手との通話が可能か否かを判定する。
【００３８】
判定の結果、４つの条件全てが満たされておらず、通信相手との通話が不可能であると判定した場合（Ｓ３０９：ＮＯ）、携帯電話機１００は、携帯電話機１００と通信相手とを接続する回線を切断し（Ｓ３０７）、処理を終了する。
【００３９】
判定の結果、４つの条件全てが満たされており、通信相手との通話が可能であると判定した場合（Ｓ３０９：ＹＥＳ）、携帯電話機１００は、図示しないバイブレータやスピーカ等を利用して着信報知を行う（Ｓ３１０）。そして利用者が通話開始操作（例えば、通話ボタンの押下）を行うと、携帯電話機１００は通信部１により通信相手との音声データの送受信を行い、利用者と通信相手との間で通話が行われる（Ｓ３１１）。その後、利用者により通話終了操作（例えば、通話終了ボタンの押下）が行われると（Ｓ３１２：ＹＥＳ）、携帯電話機１００は、携帯電話機１００と通信相手とを接続する回線を切断し（Ｓ３０７）、処理を終了する。
【００４０】
図４は、図２の流れで制限事項情報を登録した後に、利用者が友人の携帯電話機に対して発信を行う場合の携帯電話機１００の動作フローを示す図である。
利用者により入力部２にて通信相手である友人の携帯電話機の電話番号が入力され、発信操作が行われると（Ｓ４０１）、携帯電話機１００は、撮影部４により利用者を撮影し（Ｓ４０２）、撮影して得られた画像データを画像データ記憶部５５に記憶する（Ｓ４０３）。記憶後、携帯電話機１００は、画像データ送信先記憶部５６に、画像データ送信先の電子メールアドレスが登録されているか否かを判定する。
【００４１】
電子メールアドレスが登録されていた場合（Ｓ４０４：ＹＥＳ）、携帯電話機１００は、通信相手の電話番号が電話帳データ記憶部５４に記憶されている電話番号のいずれかに一致するか否かを判定する（Ｓ４０５）。電子メールアドレスが登録されていなかった場合（Ｓ４０４：ＮＯ）、携帯電話機１００は、電子メールアドレスの登録を利用者に促す。そして、利用者により電子メールアドレスが登録されると（Ｓ４１３）、Ｓ４０５に処理を移行する。
【００４２】
Ｓ４０５の判定の結果、一致する電話番号がなかった場合（Ｓ４０５：ＮＯ）、携帯電話機１００は、通信相手との回線接続を行わずに、動作を終了する。一致する電話番号があった場合（Ｓ４０５：ＹＥＳ）、携帯電話機１００では、通信相手との回線接続を開始するように、制御部６が通信部１を制御し、携帯電話機１００と通信相手との回線接続が行われる（Ｓ４０６）。回線接続後、携帯電話機１００は、現在時刻及び現在位置の情報を取得する（Ｓ４０７）。携帯電話機１００は、制限事項情報記憶部５２に記憶されている制限事項情報と、Ｓ４０７で取得した現在時刻及び現在位置の情報とを利用して、通信相手が通話可能な相手であるか、現在の累計通話料金が通話可能な上限内であるか、現在時刻が通話可能な時間帯であるか、現在位置が通話可能な場所であるかの４つの条件が満たされているかを調べ、通信相手との通話が可能か否かを判定する。
【００４３】
判定の結果、４つの条件全てが満たされておらず、通信相手との通話が不可能であると判定した場合（Ｓ４０８：ＮＯ）、携帯電話機１００は、携帯電話機１００と通信相手とを接続する回線を切断し（Ｓ４１２）、処理を終了する。
【００４４】
判定の結果、４つの条件全てが満たされており、通信相手との通話が可能であると判定した場合（Ｓ４０８：ＹＥＳ）、携帯電話機１００は、画像データ記憶部５５に記憶した画像データを添付した電子メールを、画像データ送信先記憶部５６に記憶されている電子メールアドレス宛てに送信すると共に、通信相手との音声データの送受信を行う（Ｓ４０９）。これにより、利用者と通信相手との間で通話が行われる（Ｓ４１０）。その後、利用者により通話終了操作が行われると（Ｓ４１１：ＹＥＳ）、携帯電話機１００は、携帯電話機１００と通信相手とを接続する回線を切断し（Ｓ４１２）、処理を終了する。
【００４５】
図５は、携帯電話機１００が、予め登録されている送信先に、定期的に利用履歴情報を送信する際の動作フローを示す図である。
携帯電話機１００は、記憶部５に記憶されている電子メールの送信間隔を示す情報に基づき、利用履歴情報の送信時刻になった場合（Ｓ５０１：ＹＥＳ）、利用履歴定期送信先記憶部５７に記憶されている送信先と自動的に回線接続する（Ｓ５０２）。そして、上記送信時刻に利用履歴情報記憶部５１に記憶されている利用履歴情報のうち、予め利用者の親により設定されたもの（例えば、累計通話料金のみ）を電子メールに添付し、利用履歴定期送信先記憶部５７に記憶されている電子メールアドレス宛てに送信する（Ｓ５０３）。送信後、携帯電話機１００は回線を切断し（Ｓ５０４）、次の送信時刻になったとき場合にＳ５０２〜Ｓ５０４の処理を行い、予め設定された送信間隔で、上記電子メールを定期的に送信する。
【００４６】
以上のように携帯電話機１００によれば、携帯電話機１００の利用者の親が、我が子の持つ携帯電話機１００の利用履歴を確認することが可能となる。このため、我が子が過剰に通信を行っている場合等でも、そのことを把握することができ、注意を促すことが可能となる。
【００４７】
又、携帯電話機１００によれば、通信部１による通信が可能でない期間や場所において着信があった場合、携帯電話機１００と通信相手とを接続する回線を切断することができるため、携帯電話機１００の利用者が、通話やデータ通信してはいけないような場所（例えば、学校の中等）や期間（例えば、授業中等）において、通話やデータ通信を行ってしまうのを防ぐことができる。
【００４８】
又、携帯電話機１００によれば、特定の携帯電話機に対して発信する際、携帯電話機１００の利用者が撮影され、その撮影により得られた画像データを、利用者の親等に送信することができる。このため、親は、利用者がトラブルに巻き込まれているかどうか等を知ることができ、安心することができる。尚、利用者は、特定の携帯電話機に対して発信する際、自分の顔が撮影部４の撮影範囲に入るようにして発信操作を行うことが望ましい。
【００４９】
又、携帯電話機１００によれば、携帯電話機１００の利用履歴情報を、利用者の親の持つ携帯電話機に対して定期的に送信することができる。このため、親は、我が子の持つ携帯電話機１００の利用履歴を定期的に確認することができ、使い過ぎ等を注意することが可能になる。
【００５０】
又、携帯電話機１００によれば、正しいパスワードを入力しない限り制限事項情報の変更を行うことができないため、携帯電話機１００の利用者が自分で制限事項情報を変更してしまうのを防ぐことができる。したがって、利用者の親は、我が子の利用する携帯電話機１００の利用を確実にコントロールすることができる。
【００５１】
尚、上記では、制限事項情報の登録や通話可能か否かの判定等を携帯電話機１００で行っているが、携帯電話機１００を一括管理するサーバ等で上記登録や判定を行っても良い。この場合、学校単位で学校の位置情報や授業時間帯などの設定が可能である。
【図面の簡単な説明】
【００５２】
【図１】本発明の実施形態を説明するための携帯電話機の概略構成を示す図
【図２】本発明の実施形態を説明するための携帯電話機の動作フローを示す図
【図３】本発明の実施形態を説明するための携帯電話機の動作フローを示す図
【図４】本発明の実施形態を説明するための携帯電話機の動作フローを示す図
【図５】本発明の実施形態を説明するための携帯電話機の動作フローを示す図
【符号の説明】
【００５３】
１  通信部
２  入力部
３  表示部
４  撮影部
５  記憶部
６  制御部
【図１】
2005123670.tif 000003
【図２】
2005123670.tif 000004
【図３】
2005123670.tif 000005
【図４】
2005123670.tif 000006
【図５】
2005123670.tif 000007